(57)【特許請求の範囲】
【請求項１】
先羽根群と後羽根群の少なくとも一方が、露光開口の一方の側方位置で地板に枢着されている二つのアームと、スリット形成羽根と少なくとも１枚の被い羽根とを有していて該スリット形成羽根を最先端側にしてそれらのアームの長さ方向に順に取り付けられている複数枚の羽根と、で構成されているが、それらの複数枚の羽根のうち１枚の被い羽根は、前記二つのアームの一方への取付けを、少なくともそのアームに枢支された補助アームを介して行われているようにするため、該１枚の被い羽根と該補助アームの両方に、該補助アームが前記二つのアームの少なくとも一方に枢支されている位置から、前記側方位置の方向であって且つスリット形成羽根のスリット形成縁の方向へ、全体として略斜めに延伸させた張出部を形成し、それらの張出部は、該スリット形成縁を越えたところで、それらの少なくとも一方に形成された突出部によって接触し、その接触部を連結軸によって一体的に固着されているようにしたことを特徴とするカメラ用フォーカルプレンシャッタ。
【請求項２】
前記突出部が、前記１枚の被い羽根と前記補助アームの両方に、同じ傾斜角度で同じ方向へ突き出すようにして形成されており、その突出し方向にある突出部の方が、他方の突出部よりも、突出し量が小さくなるようにしたことを特徴とする請求項１に記載のカメラ用フォーカルプレンシャッタ。
【請求項３】
前記１枚の被い羽根が、スリット形成羽根に隣接する羽根であって、前記補助アームが、前記二つのアームの少なくとも一方とスリット形成羽根との間に配置されていることを特徴とする請求項１又は２に記載のカメラ用フォーカルプレンシャッタ。
【発明の詳細な説明】
【０００１】
【発明の属する技術分野】
本発明は、撮影に際して、先羽根群と後羽根群とを同一方向へ順次作動させ、その二つの羽根群のスリット形成羽根によって形成されたスリットにより、露光を行うようにしたカメラ用のフォーカルプレンシャッタに関する。
【０００２】
【従来の技術】
最近のカメラは、ＡＰＳフィルムの出現などによって、小型化が急速に進んでいる。そのため、内蔵されるフォーカルプレンシャッタに対しても、なお一層の小型化が要求されているが、これまでにも相当の努力が払われてきたため、その要求に応えることは容易でなく、多くの場合、１〜２ｍｍ程度の寸法を短くするのに、大変な努力をしているのが実情である。
【０００３】
ところで、フォーカルプレンシャッタを小型化する場合には、何と言っても、露光開口の周囲に占める面積を、如何にして小さくするかが問題となる。しかし、基本的には、露光開口の上下位置のスペースは、羽根群を構成している複数枚の羽根の上下寸法によって制約されることになる。また、露光開口の一方の側方位置は、各羽根の先端部の作動に影響がないようにしなければならず、且つ複数枚の羽根が展開状態となって露光開口を覆ったとき、漏光が生じないようにしなければならないため、これまで通りのスペースは必要である。そのため、残るもう一方の側方位置のスペースを小さくすることが考えられるが、そのためには、そこに配置されているシャッタ駆動機構をコンパクト化する必要があるほか、従来のシャッタ羽根の支持構成に工夫を凝らす必要がある。そして、そのように工夫したシャッタ羽根の支持構造が、実公昭５７−５７３６７号公報で知られている。
【０００４】
そこで、上記の公報からでは理解しづらい点を、図５及び図６を用いて説明しておくことにする。尚、これらの図５及び図６は、従来の構成を、後述する本発明の実施例と比較し易いようにして示したものであり、実施例に対応する部材及び部位は、極力、実施例と同じ形状にし、実施例の場合と同じ符号を付けてある。更に、これらの図５及び図６には、先羽根群の構成のみを示していて、図５はその先羽根群の露光作動開始直前の状態を示し、図６は露光作動の途中の状態を示したものである。
【０００５】
一点鎖線で示したシャッタ地板１は、略中央部に開口部１ａを有していて、この開口部１ａが、シャッタの露光開口を規制している。そして、先羽根群の４枚の羽根９，１０，１１，１２は、シャッタ地板１に枢着された二つのアーム６，７に順に取り付けられていて、図５においては、展開状態となって開口部１ａを完全に覆っている。ところが、例えば、上記の公報に記載の考案のように構成すると、羽根の枚数が同じである以上は、アーム自体の長さを短くすることは至難である。そして、開口部１ａの左側のスペースを左右方向に小さくするということは、一点鎖線で示した開口部１ａの位置が、例えば、二点鎖線で示したように左の方へ移動し、シャッタ地板１の右端が二点鎖線の位置まで移動したのと同じである。
【０００６】
その結果、羽根９，１０，１１，１２の先端部（右側端部）については、短くすればよいので何ら問題はない。しかし、その反面、開口部１ａの左側の領域を十分に覆えなくなってしまう。図５及び図６においては、本来、完全に覆われていなければならない領域を、複数の平行斜線で示してある。そして、この点を補うためには、各羽根９，１０，１１，１２を左の方へ延伸させる必要があるが、特にスリット形成羽根については、どのように工夫しても、アーム６，７に取り付けられている位置から左方向の長さを、長くせざるを得なくなってしまう。このことは、上記の公報の考案の詳細な説明の欄には明記されていないが、図面から理解することができる。尚、図５及び図６に示されている先羽根群と先羽根用駆動部材２８との連結関係は、余り見かけない構成をしているが、後述の実施例の説明で、その詳細を理解することができる。また、その連結構成に介在している連結板８′は、実施例とは異なる形状をしているために、実施例の符号８に「′」を付けて示してある。
【０００７】
そして、このような観点からシャッタの小型化を考える場合には、上記の公報に記載のように、地板に枢着されている従来の二つのアームのほかに補助アーム（上記の公報では羽根支持部材）を用意し、その補助アームの一端を、上記の二つのアームの一方に連結し、他端を、被い羽根（スリット形成羽根以外の羽根）の１枚に連結させ、補助アームとその被い羽根とによってスリット形成羽根の一部を挟むように構成するのが好ましい。尚、その場合、機構原理的には、上記の公報の図面に示されているように、上記の被い羽根を、スリット形成羽根に隣接した羽根にする必要はなく、他の被い羽根とすることも可能である。また、補助アームの配置位置を変え、スリット形成羽根側で、二つのアームの少なくとも一方に取り付けるようにしても差し支えない。
【０００８】
【発明が解決しようとする課題】
ところで、そのようにして羽根群を構成すると、被い羽根と補助アームとの間に挟まれているスリット形成羽根の部位が、露光作動中に変化することになる。そのため、被い羽根と補助アームとの間には、スリット形成羽根が安定して作動を行うのに必要な所定の間隔が設定されなければならない。しかし、その間隔を適正に保つために、座金のような特別な部品を設けるのはコスト的に不利である。また、被い羽根と補助アームとの取付けは、理論的には相互に回転可能な連結関係にしてもよいが、この取付部がスリット形成羽根の近傍にあることから、固着関係にするのが好ましい。更に、後述の実施例に示したように、被い羽根と補助アームに比較的長い張出部を設け、それらの先端部で相互に取り付けるような構成にした場合には、作動中においても、それらの張出部の平行度が適正に保たれていることが要求される。
【０００９】
本発明は、このような問題点を解決するためになされたものであり、その目的とするところは、上記の公報に記載されている考案のように、従来の羽根支持構成に対して一つの補助アームを付加するだけで、シャッタ全体の左右方向の寸法を小さくすることを可能にした構成であって、スリット形成羽根を挟むようにして配置されている１枚の被い羽根と上記の補助アームとを、それらの間に所定の間隔が適正に得られ且つコスト的に有利な手段で固着するようにしたカメラ用フォーカルプレンシャッタを提供することである。
【００１０】
【課題を解決するための手段】
上記の目的を達成するために、本発明におけるカメラ用フォーカルプレンシャッタは、先羽根群と後羽根群の少なくとも一方が、露光開口の一方の側方位置で地板に枢着されている二つのアームと、スリット形成羽根と少なくとも１枚の被い羽根とを有していて該スリット形成羽根を最先端側にしてそれらのアームの長さ方向に順に取り付けられている複数枚の羽根と、で構成されているが、それらの複数枚の羽根のうち１枚の被い羽根は、前記二つのアームの一方への取付けを、少なくともそのアームに枢支された補助アームを介して行われているようにするため、該１枚の被い羽根と該補助アームの両方に、該補助アームが前記二つのアームの少なくとも一方に枢支されている位置から、前記側方位置の方向であって且つスリット形成羽根のスリット形成縁の方向へ、全体として略斜めに延伸させた張出部を形成し、それらの張出部は、該スリット形成縁を越えたところで、それらの少なくとも一方に形成された突出部によって接触し、その接触部を連結軸によって一体的に固着されているようにする。
また、本発明のカメラ用フォーカルプレンシャッタにおいては、前記突出部が、前記１枚の被い羽根と前記補助アームの両方に、同じ傾斜角度で同じ方向へ突き出すようにして形成されており、その突出し方向にある突出部の方が、他方の突出部よりも、突出し量が小さくなるように構成すると、製作上効果的である。
更に、本発明のカメラ用フォーカルプレンシャッタにおいては、前記１枚の被い羽根が、スリット形成羽根に隣接する羽根であって、前記補助アームが、前記二つのアームの少なくとも一方とスリット形成羽根との間に配置されているようにすると、シャッタが製作し易くなる。
【００１１】
【発明の実施の形態】
本発明の実施の形態を、図１〜図４に示した実施例によって説明する。これらの図面のうち図１〜図３は、何れもカメラに組み込まれた状態において被写体側から視た平面図であって、図１は露光作動を開始する直前の状態を示したものである。また、図２は露光作動の途中の状態を示したものであり、図３は露光作動の終了直後の状態を示したものである。更に、図４は図１の要部断面図である。尚、各図とも、図面を見やすくする必要があるために、他図を参照すれば理解できると考えられる部分については、省略して示すようにしてある。
【００１２】
先ず、本実施例の構成を説明する。シャッタ地板１には、その略中央部に長方形を横長にした開口部１ａが形成されており、その開口部１ａの左側には、円弧状の二つの長孔１ｂ，１ｃが形成されている。そして、それらの長孔１ｂ，１ｃの上方端面には、周知の緩衝部材が夫々取り付けられているが、図示すると図面が見にくくなるため省略してある。また、シャッタ地板１の被写体側、即ち表面側には、軸１ｄ，１ｅが立設されされており、背面側には軸１ｆ，１ｇ，１ｈ，１ｉ，１ｊ，１ｋ，１ｍ，１ｎ，１ｐ，１ｑ，１ｒが立設されている。
【００１３】
シャッタ地板１の背面側には、中間板２が、上記の軸１ｆ，１ｇ，１ｈに取り付けられており、シャッタ地板１との間に、後述する先羽根群の羽根室を構成している。そして、この中間板２にも、その略中央部に、上記の開口部１ａと類似の形状をした開口部２ａが形成されている。しかし、その二つの長辺は山形に形成されていて、上辺の山形のピーク位置には、急峻な切込み２ｂが形成されている。尚、このような中間板２の形状は周知であるため、このような形状をしている理由については、説明を省略する。
【００１４】
中間板２の背面側には、補助地板３が、シャッタ地板１の軸１ｉ，１ｊ，１ｋ，１ｍに取り付けられており、中間板２との間に、後述する後羽根群の羽根室を構成している。そして、その補助地板３にも、その略中央部に、シャッタ地板１の開口部１ａと略同一の形状をした開口部３ａが形成されている。また、その開口部３ａは、上記した二つの開口部１ａ，２ａと重ねて配置されることによって、撮影光の光路域、即ち露光開口を規制するようになっているが、本実施例においては、露光開口が開口部１ａのみによって規制されるように構成されているので、後述する作動説明においては、開口部１ａを、露光開口と同じものとして説明することにする。
【００１５】
また、シャッタ地板１の軸１ｇ，１ｈには、上記した中間板２のほかに、先羽根用押さえ板４と後羽根用押さえ板５が取り付けられている。これらの押さえ板４，５は、原則的には、図１において開口部１ａの右方向の位置、即ち後述する複数枚の羽根の先端部の作動領域に配置されている。そして、先羽根用押さえ板４はシャッタ地板１と中間板２との間に、後羽根用押さえ板５は中間板２と補助地板３との間に配置されている。また、これらの押さえ板４，５の平面形状は同一形状であってもよいが、本実施例においては、開口部１ａの上方位置での形状が異なっていて、図１に示すように、先羽根用押さえ板４は、中間板２の切込み２ｂと重なり、且つ開口部１ａ側の縁が中間板２の縁と略一致するように形成されている。
【００１６】
図２は、図１に示した中間板２，補助地板３，先羽根用押さえ板４，後羽根用押さえ板５を取り除き、且つシャッタ地板１と後述する二つの駆動部材を一点鎖線で示したものである。そのため、先羽根群の構成と後羽根群の構成は、図１よりも図２を参照した方が理解し易くなっている。
【００１７】
そこで、先ず、先羽根群の構成について説明する。シャッタ地板１の軸１ｎ，１ｐには、アーム６，７が枢着されている。また、アーム６の枢着部近傍には、シャッタ地板１側に向けて軸６ａが立設されており、そこに連結板８が枢着されている。また、その連結板８の自由端部は、後述の説明から理解することができるように、作動中においても常に他方のアーム７の一部と重なっているようになっている。
【００１８】
また、二つのアーム６，７には、それらの枢着部から先端部に向けて、４枚の羽根９，１０，１１，１２が、順に取り付けられている。そして、それらの羽根の重なり関係は、羽根９が一番中間板２側にあり、羽根１２が一番シャッタ地板１側、即ちアーム６，７側となっている。また、アーム６，７の一番先端部側に取り付けられている羽根１２がスリット形成羽根であって、その下方の端縁がスリット形成縁であり、その他の羽根は、スリット形成羽根１２と区別するために、一般には、被い羽根と言われている羽根である。そして、それらの全ての羽根９，１０，１１，１２の先端部、即ち各図における右方向の端部は、中間板２と先羽根用押さえ板４との間で作動するようになっている。尚、図３においては、スリット形成羽根１２のみが示されていて、他の羽根９，１０，１１は図示を省略されている。
【００１９】
更に、アーム６，７に対する４枚の羽根９，１０，１１，１２の取付け方は、３枚の羽根９，１０，１２の場合は従来と同じであるが、羽根１１の場合には独特の取付け方をしている。即ち、羽根９，１０，１２の場合には、周知のように、リベット部品である二つの連結軸を、アーム６，７と各羽根９，１０，１２に形成された孔に、アーム６，７側から挿入し、かしめ加工によって、その挿入端を各羽根９，１０，１２に固定している。しかし、夫々の連結軸とアーム６，７との間は、回転可能となっている。尚、連結軸の抜け止めさえ行われていれば、連結軸の先端を羽根９，１０，１２に固定する必要のないことは勿論である。
【００２０】
これに対して、羽根１１を取り付けるために、特別に補助アーム１３が、アーム６，７とスリット形成羽根１２との間に配置されていて、左下方に略斜めに延伸した張出部を有している。また、羽根１１の取付けに用いられている三つの連結軸には、補助アーム１３の取付け構成を説明するために、特に符号１４，１５，１６を付けてある。そこで、以下に、図４を用いて、その取付け構成を詳しく説明する。
【００２１】
先ず、羽根１１には、所定の傾斜角度を有する突出部１１ａ，１１ｂが、予め形成されている。そして、それらの突出部１１ａ，１１ｂの突出し領域は、勿論、円形をしている。そこで、連結軸１４は、アーム６，補助アーム１３と羽根１１に形成された孔に、アーム６側から挿入し、かしめ加工によって、その挿入端を羽根１１の突出部１１ａに固定している。しかし、連結軸１４と、アーム６，補助アーム１３との間は、個々に回転可能となっている。また、補助アーム１３には、所定の傾斜角度を有する突出部１３ａ，１３ｂが、予め形成されている。そこで、連結軸１５は、アーム７，補助アーム１３に形成された孔に、アーム７側から挿入し、かしめ加工によってその挿入端を補助アーム１３に固定されている。しかし、連結軸１５とアーム７との間は回転可能になっている。
【００２２】
更に、羽根１１は、通常の形状とは異なっていて、補助アーム１３の張出部と同様にして、図１において左下方に略斜めに延伸した張出部を有している。そして、それらの二つの張出部は、スリット形成羽根１２を挟んでいて、スリット形成羽根１２のスリット形成縁を越えたところで、それらの先端部を連結軸１６によって取り付けられている。そして、その取付け方は、図４に示すように、連結軸１６が、補助アーム１３と羽根１１の突出部１３ｂ，１１ｂに形成された孔に、補助アーム１３側から挿入され、その挿入端を、かしめ加工によって突出部１１ｂに固定することによって、補助アーム１３と羽根１１をも一体的に固着するようにしている。
【００２３】
また、本実施例の場合、突出部１３ｂの傾斜角度と突出部１１ｂの傾斜角度は同じにしてあり、被い羽根１１の張出部と補助アーム１３の張出部との間隔は、被い羽根１１の突出部１１ｂの突出し量よりも補助アーム１３の突出部１３ｂの突出し量の方を小さくすることによって決められている。そのため、突出部１３ｂの突出し孔の縁の直径の方が、突出部１１ｂの突出し孔の縁の直径よりも小さく形成されていることになる。このように、傾斜角度を同じにすると、かしめ加工を行うに当たって、被い羽根１１と補助アーム１３の孔位置を合わせ易く、作業性が良好になる。また、突出部１１ｂ，１３ｂの接触面積が大きくなり、かしめ加工による固着の信頼性が向上する。更に、被い羽根１１の張出部と補助アーム１３の張出部との間隔は、二つの突出部１１ｂ，突出部１３ｂの突出し量の差によって決められているので、特別な部材を必要としないほか、上記した接触面積の大きいことと相俟って、長く張り出されているにもかかわらず、二つの張出部の平面性と間隔が適正に維持されるようになっている。
【００２４】
このように、本実施例においては、露光開口の位置、即ち開口部１ａの位置を、従来よりもアーム６，７の枢着部方向ヘ移動させ、シャッタ全体の左右方向の寸法を小さくしている。しかし、アーム６，７の長さを短くするわけにはいかないため、露光のために一番重要であって作動量の一番大きなスリット形成羽根１２の場合には、アーム６，７に対する取付け位置から先端部までの長さは短くなるものの、アーム６，７の枢着部方向の領域は従来よりも長くせざるを得なくなっている。本実施例によれば、そのようなスリット形成羽根１２の、従来より長く形成された領域を、補助アーム１３の張出部と、被い羽根１１の張出部によって挟むように構成されていていて、後述の作動説明からも分かるように、如何なる状態においても、この構成は維持されるようになっている。
【００２５】
次に、後羽根群の構成について説明するが、図２からも分かるように、後羽根群の構成は、上記した先羽根群の構成を裏返えしにしたものであるから、上記した先羽根群の構成説明よりも簡単に説明することにする。従って、説明を省略した事項については、上記の先羽根群の説明に準じるものである。尚、図１においては、図面を見やすくするために、後羽根群の４枚の羽根の形状を、一部省略して示している。
【００２６】
シャッタ地板１の軸１ｑ，１ｒには、アーム１７，１８が枢着されている。また、アーム１７の枢着部近傍には、補助地板３側に向けて軸１７ａが立設されており、そこに連結板１９が枢着されている。そして、その連結板１９の自由端部は、後述する構成によって、作動中においても常に他方のアーム１８の一部と重なるようになっている。
【００２７】
また、これらの二つのアーム１７，１８には、それらの枢着部から先端部に向けて、４枚の羽根２０，２１，２２，２３が、順に取り付けられており、それらの羽根の重なり関係は、羽根２０が一番中間板２側にあり、羽根２３が一番補助地板３側、即ちアーム１７，１８側となっている。また、アーム１７，１８の先端部に取り付けられた羽根２３がスリット形成羽根であって、その上端縁がスリット形成縁となっている。従って、他の羽根は被い羽根である。そして、それらの全ての羽根２０，２１，２２，２３の先端部は、中間板２と後羽根用押さえ板５との間で作動するようになっている。
【００２８】
更に、アーム１７，１８に対する羽根２０，２１，２３の取付け方は、先羽根群の羽根９，１０，１２の場合と同様であって、二つの連結軸を、アーム１７，１８と羽根２０，２１，２３に形成された孔に、アーム１７，１８側から挿入し、本実施例の場合には、かしめ加工によって、それらの挿入端を羽根２０，２１，２３に固定している。但し、夫々の連結軸とアーム１７，１８との間は、回転可能となっている。
【００２９】
これに対して、羽根２２の取付け方は異なっていて、アーム１７，１８とスリット形成羽根２３との間に配置された補助アーム２４を介在させている。そして、その羽根２２の取付けには三つの連結軸が用いられていて、それらには、特に符号２５，２６，２７を付けてある。先ず、連結軸２５は、アーム１７，補助アーム２４と羽根２２に形成された孔に、アーム１７側から挿入し、羽根２２に固定しているが、連結軸２５と、アーム１７，補助アーム２４との間は、個々に回転可能となっている。また、連結軸２６は、アーム１８，補助アーム２４に形成されている孔にアーム１８側から挿入し、アーム１８に固定されているが、連結軸２６とアーム１８との間は回転可能となっている。
【００３０】
更に、羽根２２には、補助アーム２４と同じようにして、左上方に略斜めに延伸した張出部が形成されており、その張出部の先端位置が、補助アーム２４の張出部の先端位置に、連結軸２７によって取り付けられている。また、その取付け方は、連結軸２７が、補助アーム２４と羽根２２に形成された図示していない突出部の孔に、補助アーム２４側から挿入され、羽根２２に固定されるようになっているが、その際、補助アーム２４と羽根２２との間も固定されるようにしてある。このように、後羽根群の場合にも、スリット形成羽根２３は、アーム１７，１８に対する取付け位置よりもそれらの枢着部側において、補助アーム２４と羽根２２とによって挟まれるように構成されていている。
【００３１】
次に、先羽根群と後羽根群を作動させるための駆動機構について説明するが、図１〜図３には、そのような駆動機構のうち、本実施例の説明に必要な先羽根用駆動部材２８と後羽根用駆動部材２９のみを示している。また、それらの駆動部材２８，２９は、上記した各羽根群との位置関係と連結関係を理解できるようにするために示したものである。そのため、特にそれらのことに関係のない部分の形状や構成は省略してある。また、駆動機構を構成してはいるが、図示されていない他の部材や部位については、周知の構成が適用される。
【００３２】
図１に示すように、本実施例における先羽根用駆動部材２８と後羽根用駆動部材２９は、上記したシャッタ地板１の軸１ｄと軸１ｅに回転可能に取り付けられている。そして、夫々の駆動ピン２８ａ，２９ａは、シャッタ地板１に形成された上記の円弧状の長孔１ｂ，１ｃを貫通し、連結板８，１９に形成された孔に嵌合している。そのため、各駆動部材２８，２９が軸１ｄ，１ｅで回転されると、アーム６，１７は、連結板８，１９を介して、各駆動部材２８，２９と同じ回転方向ヘ回転されるようになっている。そして、露光作動時には、それらの駆動部材２８，２９は、夫々、図示していない各駆動ばねの付勢力によって、反時計方向ヘ回転されるようになっている。
【００３３】
ところで、本実施例においては、駆動部材２８，２９の配置位置が、通常の配置位置とは異なっている。即ち、通常の場合には、駆動部材２８，２９の回転軸になる軸１ｄ，１ｅが、アーム６，１７の回転軸となる軸１ｎ，１ｑと同一軸上に配置されている。そのため、駆動ピン２８ａ，２９ａは、アーム６，１７に形成された孔に嵌合されるようになっていて、本実施例のような連結板８，１９は設けられていない。
【００３４】
周知のように、シャッタ地板１に、各駆動部材２８，２９が取り付けられている領域には、セット部材や電磁石を始めとして、図示していない多くの部材が取り付けられており、しかも、それらが、作動上、相互に関連するようにして配置されている。そのため、シャッタの全体の構成上、各駆動部材の形状や大きさに、制約を受けることがあるほか、それらの回転軸の間隔を、どうしても小さくしなくてはならない場合が生じてくる。また、そのような要求は、単にシャッタユニットの設計上の問題からだけではなく、カメラ全体の設計上から生じることもある。
【００３５】
しかしながら、そのような要求に応える場合であっても、軸１ｎ，１ｑの間隔を小さくすることはできない。この間隔は、予め、可能な限り小型化できるような位置に設定されているため、その間隔を小さくすると、作動中において、アーム６，７同士、及びアーム１７，１８同士が干渉してしまうからである。従って、やむなく、実施例のように構成せざるを得ない場合がある。このようなことから、本実施例の場合には、図示のような構成になっているが、本発明は、このような構成に何ら拘束されるものではなく、従来の構成においても適用できることは言うまでもない。
【００３６】
次に、本実施例の作動を説明する。図１は露光作動の開始直前の状態、即ち先羽根用駆動部材２８と後羽根用駆動部材２９が露光作動開始位置にある状態を示している。そのため、先羽根群の羽根９，１０，１１，１２は展開状態となって、開口部１ａを覆っており、後羽根群の羽根２０，２１，２２，２３は重畳状態となって開口部１ａの下方位置に格納されている。駆動部材２８，２９を、夫々の駆動ばねの付勢力に抗して、この状態に維持するためには、何種類かの構成が知られている。本実施例においては、そのような構成を例示していないが、本発明は、それらの全ての構成に適用できるものである。また、二重遮光方式のシャッタと称されていて、セット状態においては、開口部１ａを、先羽根群と後羽根群の両方によって覆っており、後羽根群は露光作動の開始直前になって、図１の状態となるようにしたものにも適用することが可能である。
【００３７】
カメラのレリーズボタンが押された後、図１の状態から、先ず、先羽根用駆動部材２８が、図示していない先羽根用駆動ばねの付勢力によって反時計方向へ回転を開始し、所定時間後には、後羽根用駆動部材２９が、図示していない後羽根用駆動ばねの付勢力によって反時計方向ヘの回転を開始する。その際、先羽根用駆動部材２８の駆動ピン２８ａは、連結板８を介してアーム６を反時計方向へ回転させ、また、後羽根用駆動部材２９の駆動ピン２９ａは、連結板１９を介してアーム１７を反時計方向ヘ回転させる。
【００３８】
そのため、先羽根群の４枚の羽根９，１０，１１，１２は、相互の重なりを大きくしつつ上方へ作動し、スリット形成羽根１２によって、開口部１ａを開いていく。他方、後羽根群の４枚の羽根２０，２１，２２，２３は、相互の重なりを小さくしつつ上方へ作動し、スリット形成羽根２３が、上記のスリット形成羽根１２の後を追うようにして、開口部１ａを閉じていく。そして、二つのスリット形成羽根１２，２３によって形成されるスリットによって、感光面を露光させていくが、そのような作動途中の状態が図２に示されている。また、図２から分かるように、この状態になっても連結板８，１９の自由端はアーム７，１８との重なり関係を維持している。
【００３９】
ところで、このような作動中において、各羽根には、単に、上方へ作動させる力だけではなく、薄い羽根を撓ませるようにする複雑な方向ヘの力が作用する。通常、このような複雑な力によって、羽根群が行う意図しない運動を、あばれ現象と称しているが、スリット形成羽根１２，２３は、重要な羽根であるにもかかわらず、その影響を一番受け易くなっている。その理由は、他の被い羽根に比較して、作動量が一番大きいことと、両面を他の部材に接触させている面積が少ないからである。そこで、本実施例においては、従来から行われているように、羽根押さえ板４，５を、各羽根の先端部の全作動領域にわたって配置することにより、羽根の撓みを抑制するようにしている。
【００４０】
更に、本実施例の場合には、スリット形成羽根１２，２３に対してだけ、特別な手段が講じられている。即ち、本実施例においては、図５及び図６を用いて説明したように、シャッタの小型化を図るために、スリット形成羽根１２，２３は、夫々二つのアームに取り付けた位置から、それらのアームの枢着部方向の領域を、従来よりも長くせざるを得なくなっている。そのため、それらの領域は、従来よりも格段に撓み易くなっている。しかし、本実施例においては、作動中、常にその領域の一部を、補助アーム１３，２４と被い羽根１１，２２によって挟んでいるので、その撓みが抑制されるようになっている。
【００４１】
このようにして、先羽根群と後羽根群は露光作動を続けていくが、その後、先羽根群の４枚の羽根９，１０，１１，１２が重畳状態となって、開口部１ａの上方位置に格納された段階になると、先羽根用駆動部材２８は、その駆動ピン２８ａが、長孔１ｂの上端面に取り付けられている図示していない緩衝部材に当接することによって停止する。また、その直後、後羽根群の４枚の羽根２０，２１，２２，２３が展開状態となって、開口部１ａを完全に覆うようになると、後羽根用駆動部材２９も、その駆動ピン２９ａが、長孔１ｃの上端面に取り付けられている図示していない緩衝部材に当接することによって停止する。そして、その停止直後の状態が図３に示されている。但し、先羽根群の羽根については、図面を見やすくするために、スリット形成羽根１２のみを示している。
【００４２】
ところで、このようにして露光作動が終了するとき、周知のように、先羽根群と後羽根群は、極めて大きな衝撃を受け、激しいあばれ現象を生じる。その際、先羽根群の４枚の羽根９，１０，１１，１２の場合には、重畳状態になっているので、撓み方向への動きは比較的抑制されることになる。そのため、どちらかといえば、停止時のバウンドによって、スリット形成羽根１２が一時的に開口部１ａ内に入ってしまうのを防止できるようにすることの方が重要である。
【００４３】
しかしながら、後羽根群の場合には、先羽根群の場合よりも面倒である。即ち、後羽根群の停止時には、４枚の羽根２０，２１，２２，２３が展開状態となっていて、相互の重なり量が少なくなっていることと、大部分の平面領域が開口部１ａ内にあることから、非常に撓み易い状態となっているからである。そのため、停止時のバウンドによって、スリット形成羽根２３が一時的に開口部１ａの一部を開いてしまうのを防止しなければならないのは勿論のこと、激しいあばれ現象によって各羽根の重なり部から漏光が生じないようにしたり、各羽根の取付け部などが破壊されないようにする必要がある。そこで、従来は、そのようなことに対する対策として、羽根群を構成しているアームや羽根に対し、種々の構成をした制動手段や緩衝手段を設けるようにしていた。
【００４４】
ところが、既に説明したように、本実施例のスリット形成羽根２３は、アーム１７，１８に対する取付け部から、アーム１７，１８の枢着部方向の領域が、従来のスリット形成羽根よりも長く形成されていることから、停止時の衝撃による撓み方向ヘの力が、その領域にも大きく作用することになる。しかしながら、その領域に対する直接の制動手段や緩衝手段を、中間板２や補助地板３に設けることは極めて困難である。ところが、本実施例によれば、そのような停止時においても、上記の領域の一部が、補助アーム２４と羽根２２の張出部によって挟まれているので、撓みにくい状態となっている。従って、シャッタ全体の左右方向の寸法を小さくしたが故に、従来よりもあばれ現象の影響を大きく受けてしまうというようなことがない。
【００４５】
次に、本実施例のセット作動を説明する。図３に示した状態において、フィルムの巻き上げが行われると、それに連動して図示していないセット部材が作動され、先羽根用駆動部材２８と後羽根用駆動部材２９を、所定のタイミングで時計方向へ回転させる。即ち、セット部材は、最初に、先羽根用駆動部材２８のみを、図示していない先羽根用駆動ばねの付勢力に抗して時計方向へ回転させる。それにより、駆動ピン２８ａが、連結板８を介してアーム６を時計方向へ回転させるので、先羽根群の４枚の羽根９，１０，１１，１２は、相互の重なり量を小さくしながら、スリット形成羽根１２を先頭にして、下方へ作動していく。
【００４６】
そして、先羽根群のスリット形成羽根１２と後羽根群のスリット形成羽根２３との重なり量が、所定量に達した段階で、セット部材は、後羽根用駆動部材２９を、図示していない後羽根用駆動ばねの付勢力に抗して時計方向へ回転させる。それによって、駆動ピン２９ａが、連結板１９を介して、アーム１７を時計方向へ回転させるので、開口部１ａを覆っていた４枚の羽根２０，２１，２２，２３は、相互の重なり量を大きくしながら下方へ作動していく。従って、以後は、先羽根群の羽根と後羽根群の羽根は、スリット形成羽根同士の重なり量を所定量に保ちながら、共に下方へ作動していくことになる。そして、その後、先羽根群の羽根９，１０，１１，１２が展開状態となって開口部１ａを覆い、後羽根群の羽根２０，２１，２２，２３が重畳状態となって開口部１ａの下方位置に格納された状態になると、セット部材によるセット作動が終了する。
【００４７】
各駆動部材２８，２９は、その後、次の撮影に際してカメラのレリーズボタンが押されるまで、そのセット状態を維持されることになるが、その維持方法として良く知られているのは係止タイプとダイレクトタイプである。このうち、係止タイプは、最近のように露光作動のタイミングを電気的に制御するようになってきても採用されているが、傾向としては少なくなりつつある。そして、その係止タイプを採用した場合には、各駆動部材２８，２９は、セット位置においては、係止部材によって係止されていて、レリーズ後に、その係止を解かれることによって、露光作動を開始するようになる。従って、このタイプの場合には、各駆動部材２８，２９は、セット位置と露光作動開始位置が同じである。
【００４８】
もう一つのダイレクトタイプは、最近になって、各駆動部材２８，２９の露光作動の開始を電気的に制御するようになってきてから生まれた独特の構成である。このタイプを採用した場合における各駆動部材２８，２９のセット位置は、セット作動後もセット位置に留まっているセット部材によって維持される。そして、カメラのレリーズ直後に、各駆動部材２８，２９が夫々の電磁石に保持された後、セット部材がセット前位置に復帰するようにし、電磁石の保持力を順に解くことによって露光作動を開始させるようになっている。従って、周知であるために、詳しい構成説明は省略するが、このタイプの場合には、各駆動部材２８，２９は、セット位置と露光作動開始位置が若干異なっている。
【００４９】
更に、上記の二つのタイプの違いに関係なく、それらを変形させたものとして、二重遮光方式と称されているシャッタも存在する。本発明は、そのようなシャッタにも適用できるものであるが、この方式のシャッタは、シャッタのセット状態においては、露光開口が、先羽根群と後羽根群の両方によって覆われており、カメラのレリーズ直後に、後羽根群が露光作動開始位置へ移動されるようにしたものである。しかし、シャッタの駆動機構の形式が、たとえどのようなものであったとしても、露光作動の開始直前には、各駆動部材２８，２９は、露光作動開始位置に位置していなければならない。従って、いずれの形式であっても、本実施例の場合には、各駆動部材２８，２９は、露光作動開始直前に、図１に示した状態となっている。
【００５０】
このようにして、一連の作動は行われるが、上記の説明からも分かるように、本実施例において、アーム６，１７に取り付けられている連結板８，１９は、図１に示した露光作動の開始直前の状態においても、図２に示した露光作動の途中の状態においても、更には、図３に示した露光作動の終了直後の状態においても、それらの自由端部が、アーム７，１８と常に重なっているように構成されている。それは、作動中に、連結板８，１９とアーム７，１８とが衝突しないようにするためである。
【００５１】
既に説明したように、アーム６，７，１７，１８は、軸１ｎ，１ｐ，１ｑ，１ｒに枢着されているため、極めて僅かではあるが、公差によって上記の各軸の軸方向ヘも動き得るようになっているし、各軸の軸芯に対して傾き得るようにもなっている。また、アーム６，７，１７，１８は、比較的薄い材料で細長い形状に形成されているので、それ自体は、撓み易くなっている。また、上記したように、各羽根群が作動するとき、各羽根群には、図面の上下方向ヘの単純な力が作用するだけではなく、垂直方向などヘの複雑な力も作用するようになっている。そのため、アーム６，７，１７，１８は、そのような複雑な力によって、多かれ少なかれ、撓んだり捩れたりさせられる。
【００５２】
このような実情であることから、もし、連結板８，１９の長さを、駆動ピン２８ａ，２９ａとの嵌合部までとした場合には、即ち、例えば、連結板８の形状を図５に示した連結板８′のようにした場合には、図２に示した状態から図３に示した状態に至る過程において、アーム７が連結板８′に衝突するという事態が発生してしまう。ところが、本実施例の連結板８，１９は、それらの自由端部が、駆動ピン２８ａ，２９ａとの嵌合部から延伸して形成されており、しかも、その自由端部が、常にアーム７，１８と重なるようにしているので、作動中に、上記のような衝突は生じない。
【００５３】
尚、本実施例においては、連結板８，１９が、アーム６，１７に対して、羽根を取り付けていない方の面に枢着されている。その理由は、やはり、シャッタの小型化と無縁のものではない。そのことは、例えば、図１における連結板８と羽根９との関係を見れば理解できる。即ち、本実施例の場合には、連結板８をアーム６の中間板２側の面に枢着すると、図１に示す状態において羽根９と衝突し得る位置関係となってしまう。他方の連結板１９の場合には、アーム１７の中間板２側の面に枢着すると、図３に示す状態において羽根２０と衝突し得る位置関係になってしまう。
【００５４】
このような衝突が生じないようにするためには、軸１ｄ，１ｅから駆動ピン２８ａ，２９ａまでの寸法を小さくするか、アーム６，７に対する羽根９の取付け位置、及びアーム１７，１８に対する羽根２０の取付け位置を、各アームの先端部方向ヘ移動させる必要がある。しかし、前者の場合には、図面上での配置構成からも容易に予測できるように、上記の寸法をこれ以上小さくすると、各駆動部材２８，２９のセット力量が極端に大きくなってしまい、実現性に乏しいものとなってしまう。
【００５５】
他方、後者の場合には、羽根９，２０だけでは済まず、他の羽根を順に移動させる必要があるため、図２における各羽根の左端部の位置関係からも理解できるように、開口部１ａの位置を右側に移動せざるを得なくなり、シャッタを小型化する意味が薄くなってしまう。そこで、本実施例においては、連結板８，１９を、アーム６，１７の、羽根を取り付けていない面に枢着している。しかしながら、小型化の程度によっては、連結板８，１９を、アーム６，１７の、羽根を取り付けている面に枢着しても差し支えなく、その場合にも、やはり、連結板８，１９から延伸した自由端部を、常にアーム７，１８に重ねるようにしておくと、作動時における衝突を防止することが可能である。
【００５６】
尚、上記の実施例においては、補助アーム１３が、連結軸１４によってアーム６にも取り付けられているが、これは、補助アーム１３を、アーム６とアーム７の両方に取付けることによって、作動中におけるアーム６，７の相対位置関係を維持させ易いようにし、あばれ現象の抑制を効果的にするためであるが、特にそのようにするまでもない場合には、アーム６に取り付けず、アーム７と羽根１１に取り付けるだけでも構わない。また、上記の実施例においては、補助アーム１３を、アーム６，７とスリット形成羽根１２との間に配置しているが、アーム６，７の反対側の面に取り付けても差し支えない。更に、上記の実施例においては、羽根１１に張出部を形成しているが、その代わりに、例えば、羽根１０に張出部を形成するようにしても差し支えない。そして、これらのことは、先羽根群に限らず、後羽根群の場合にも全く同じことが言える。
【００５７】
また、上記の実施例においては、被い羽根１１の突出部１１ｂの傾斜角度と補助アーム１３の突出部１３ｂの傾斜角度を同じにし、両方の傾斜面を接触させるようにしているが、本発明は、そのように傾斜面を接触させるものに限定されず、そのため、補助アーム１３に、突出部１３ｂを形成しなくても差し支えない。また、実施例においては、突出部１１ｂ，１３ｂを、シャッタ地板１の方向ヘ突き出しているが、反対方向ヘ突き出すようにしても差し支えない。
【００５８】
また、上記の実施例においては、各羽根の先端部の作動領域に、押さえ板４，５を設けているが、最近では、シャッタ地板１や補助地板３を合成樹脂で製作し、各羽根の先端部の作動領域を肉厚に形成することによって、上記のような押さえ板４，５を必要としないようにした構成も知られている。本発明は、そのような構成のシャッタにも適用できるものである。更に、最近では、複数枚の羽根を枢支している二つのアームを、シャッタ地板ではなく、補助地板に枢着したものも知られているが、本発明は、そのようにしたシャッタにも適用できることは言うまでもない。
【００５９】
【発明の効果】
以上のように、本発明は、地板に枢着されている二つのアームに取り付けられた複数枚の羽根のうち、１枚の被い羽根は、一方のアームに対しては直接取り付けられているが、他方のアームに対しては、少なくともその他方のアームに枢支されている補助アームを介して取り付けられているようにした羽根群の構成において、その被い羽根と補助アームとを取り付けるに際し、それらの少なくとも一方に形成された突出部において相互に接触させ、連結軸を用いたかしめ加工によって両者を一体的に固着させるようにしたものであるから、両者の間に挟まれているスリット形成羽根に対して、低コストで適正な間隔を形成できという利点がある。
【図面の簡単な説明】
【図１】被写体側から視た実施例の平面図であって、露光作動を開始する直前の状態を示したものである。
【図２】被写体側から視た実施例の平面図であって、先羽根群と後羽根群の露光作動中の状態を理解し易いように示したものである。
【図３】図２と同じようにして被写体側から視た平面図であって、主に後羽根群の露光作動終了直後の状態を理解し易いように示したものである。
【図４】図１の要部断面図である。
【図５】実施例と比較するために示したフォーカルプレンシャッタの平面図であって、露光作動開始直前状態の先羽根群を示したものである。
【図６】図５に示した先羽根群が露光作動の途中にある状態を示した平面図である。
【符号の説明】
１                      シャッタ地板
１ａ，２ａ，３ａ        開口部
１ｂ，１ｃ              長孔
１ｄ，１ｅ，１ｆ，１ｇ，１ｈ，１ｉ，１ｊ，１ｋ，１ｍ，１ｎ，
１ｐ，１ｑ，１ｒ，６ａ，１７ａ   軸
２                      中間板
２ｂ                    切込み
３                      補助地板
４                      先羽根用押さえ板
５                      後羽根用押さえ板
６，７，１７，１８      アーム
８，８´，１９          連結板
９，１０，１１，１２，２０，２１，２２，２３   羽根
１１ａ，１１ｂ，１３ａ，１３ｂ   突出部
１３，２４              補助アーム
１４，１５，１６，２５，２６，２７  連結軸
２８                    先羽根用駆動部材
２８ａ，２９ａ          駆動ピン
２９                    後羽根用駆動部材
【図１】
0004249312.tif 000002
【図２】
0004249312.tif 000003
【図３】
0004249312.tif 000004
【図４】
0004249312.tif 000005
【図５】
0004249312.tif 000006
【図６】
0004249312.tif 000007